(57)【要約】【課題】配管の異常をより確実に検出することができる油圧エレベータを得る。【解決手段】昇降路１００を昇降するかご１と、かご１を支持し、かご１を昇降させる油圧ジャッキ２と、油圧ジャッキ２との間で油を送受するパワーユニット３と、油圧ジャッキ２とパワーユニット３とに接続され、油が流れる配管４と、配管４に設けられ、配管４にガイド波を送信し配管４からの反射波を受信することによって、腐食による配管４の減肉部を検出する配管腐食検出装置５と、配管腐食検出装置５が配管４の減肉部を検出した場合に、配管４の腐食を示す配管腐食情報を情報センタ２００に通報する通報装置６とを備えている。【選択図】図１
2015151232.tif 000002
【特許請求の範囲】
【請求項１】
昇降路を昇降するかごと、
前記かごを支持し、前記かごを昇降させる油圧ジャッキと、
前記油圧ジャッキとの間で油を送受するパワーユニットと、
前記油圧ジャッキと前記パワーユニットとに接続され、前記油が流れる配管と、
前記配管に設けられ、前記配管にガイド波を送信し前記配管からの反射波を受信することによって、腐食による前記配管の減肉部を検出する配管腐食検出装置と、
前記配管腐食検出装置が前記配管の減肉部を検出した場合に、前記配管の腐食を示す配管腐食情報を予め設定された通報対象装置に通報する通報装置と
を備えたことを特徴とする油圧エレベータ。
【請求項２】
前記配管腐食検出装置は、前記配管の減肉部を検出するとともに、前記配管における減肉部の位置を検出するようになっており、
前記通報装置は、前記配管腐食検出装置が前記配管の減肉部を検出した場合に、前記配管腐食情報とともに、前記配管における減肉部の位置を示す配管腐食位置情報を前記通報対象装置に通報することを特徴とする請求項１に記載の油圧エレベータ。
【請求項３】
前記パワーユニットを制御するエレベータ制御装置をさらに備え、
前記エレベータ制御装置は、前記配管腐食検出装置が前記配管の減肉部を検出した場合に、前記かごの運転が停止されるように前記パワーユニットを制御することを特徴とする請求項１または請求項２に記載の油圧エレベータ。
【請求項４】
前記配管に設けられ、前記配管にガイド波を送信し前記配管からの反射波を受信することによって、詰りによる前記配管の流路狭小部を検出する配管詰り検出装置をさらに備え、
前記通報装置は、前記配管詰り検出装置が前記配管の流路狭小部を検出した場合に、前記配管の詰りを示す配管詰り情報を前記通報対象装置に通報することを特徴とする請求項１から請求項３までの何れか一項に記載の油圧エレベータ。
【請求項５】
前記配管詰り検出装置は、前記配管の流路狭小部を検出するとともに、前記配管における流路狭小部の位置を検出するようになっており、
前記通報装置は、前記配管詰り検出装置が前記配管の流路狭小部を検出した場合に、前記配管詰り情報とともに、前記配管における流路狭小部の位置を示す配管詰り位置情報を前記通報対象装置に通報することを特徴とする請求項４に記載の油圧エレベータ。
【発明の詳細な説明】
【技術分野】
【０００１】
この発明は、かごが昇降路を昇降する油圧エレベータに関する。
【背景技術】
【０００２】
従来、昇降路を昇降するかごと、かごを昇降させる油圧ジャッキと、油圧ジャッキとの間で油を送受するパワーユニットと、油圧ジャッキとパワーユニットとに接続され、油が流れる配管と、配管の外側に設けられ、配管からの油漏れを検出する油センサと、油センサが配管からの油漏れを検出した場合に、油が配管から漏れていることを示す配管油漏れ情報を監視盤に通報する通報装置とを備えた油圧エレベータが知られている（例えば、特許文献１参照）。
【先行技術文献】
【特許文献】
【０００３】
【特許文献１】特開平７−９７１５４号公報
【発明の概要】
【発明が解決しようとする課題】
【０００４】
しかしながら、例えば、腐食によって配管に減肉部が発生し、配管の減肉部の厚さが交換の必要な厚さとなった場合であっても、配管からの油漏れが発生するまで配管の腐食を検出することができず、配管の腐食を示す配管腐食情報を通報することができないという問題点があった。
【０００５】
この発明は、腐食による配管の減肉部が発生した場合に、配管腐食情報をより確実に通報することができる油圧エレベータを提供するものである。
【課題を解決するための手段】
【０００６】
この発明に係る油圧エレベータは、昇降路を昇降するかごと、かごを支持し、かごを昇降させる油圧ジャッキと、油圧ジャッキとの間で油を送受するパワーユニットと、油圧ジャッキとパワーユニットとに接続され、油が流れる配管と、配管に設けられ、配管にガイド波を送信し配管からの反射波を受信することによって、腐食による配管の減肉部を検出する配管腐食検出装置と、配管腐食検出装置が配管の減肉部を検出した場合に、配管の腐食を示す配管腐食情報を予め設定された通報対象装置に通報する通報装置とを備えている。
【発明の効果】
【０００７】
この発明に係る油圧エレベータによれば、配管にガイド波を送信し、配管からの反射波を受信することによって、腐食による配管の減肉部が検出されるので、配管からの油漏れが発生していない場合であっても、腐食による配管の減肉部が発生した場合に、配管の腐食を検出して、配管腐食情報をより確実に通報することができる。
【図面の簡単な説明】
【０００８】
【図１】この発明の実施の形態１に係る油圧エレベータを示す構成図である。
【図２】図１の配管腐食検出装置を示すブロック図である。
【図３】図１の油圧エレベータの動作を示すフローチャートである。
【発明を実施するための形態】
【０００９】
実施の形態１．
図１はこの発明の実施の形態１に係る油圧エレベータを示す構成図である。図において、油圧エレベータは、昇降路１００を昇降するかご１と、かご１を支持し、伸縮することによってかご１を昇降させる油圧ジャッキ２と、昇降路１００の外に設けられ、油圧ジャッキ２との間で油を送受するパワーユニット３と、油圧ジャッキ２とパワーユニット３とに接続され、油が流れる配管４と、配管４に設けられ、配管４の減肉部を検出する配管腐食検出装置５と、配管４の腐食を示す配管腐食情報および配管４における減肉部の位置を示す配管腐食位置情報を情報センタ（通報対象装置）２００に通報する通報装置６と、パワーユニット３を制御するエレベータ制御装置７とを備えている。
【００１０】
図２は図１の配管腐食検出装置５を示すブロック図である。配管腐食検出装置５は、配管４（図１）にガイド波を送信する発信機５１と、配管４からの反射波を受信する受信機５２と、発信機５１および受信機５２を制御する腐食検出制御装置５３とを有している。腐食検出制御装置５３は、受信機５２が受信する配管４からの反射波を用いて、配管４の減肉部を検出する。また、腐食検出制御装置５３は、受信機５２が受信する配管４からの反射波を用いて、配管４における減肉部の位置を検出する。腐食検出制御装置５３は、腐食検出制御装置５３が配管４の減肉部を検出する場合に、配管腐食情報および配管腐食位置情報を通報装置６に送信する。また、腐食検出制御装置５３は、腐食検出制御装置５３が配管４の減肉部を検出する場合に、かご１の運転を停止させる信号であるかご運転停止信号をエレベータ制御装置７に送信する。腐食検出制御装置５３は、エレベータ制御装置７から、かご１が停止しているか否かについての信号を受信するようになっている。
【００１１】
次に、油圧エレベータの動作について説明する。図３は図１の油圧エレベータの動作を示すフローチャートである。まず、配管腐食検出装置５は、かご１が停止しているか否かを判定する（ステップＳ１０１）。ステップＳ１０１で、かご１が停止していないと判定される場合にはステップＳ１０１が繰り返される。
【００１２】
一方、ステップＳ１０１で、かご１が停止していると判定された場合には、配管腐食検出装置５は、配管４にガイド波を送信し、配管４からの反射波を受信する（ステップＳ１０２）。
【００１３】
その後、配管腐食検出装置５は、配管４の減肉部を検出したか否かを判定する（ステップＳ１０３）。ステップＳ１０３で、配管４の減肉部を検出したと判定された場合、配管腐食検出装置５は、配管腐食情報および配管腐食位置情報を通報装置６に送信し、かご運転停止信号をエレベータ制御装置７に送信する（ステップＳ１０４）。
【００１４】
その後、配管腐食検出装置５から配管腐食情報および配管腐食位置情報を受信した通報装置６は、配管腐食情報および配管腐食位置情報を情報センタ２００に通報し、また、エレベータ制御装置７は、かご１の運転を停止する（ステップＳ１０５）。
【００１５】
一方、ステップＳ１０３で、配管４の減肉部をまだ検出していないと判定された場合には、ステップＳ１０１に戻る。
【００１６】
以上説明したように、この発明の実施の形態１に係る油圧エレベータによれば、配管４にガイド波を送信し、配管４からの反射波を受信することによって、腐食による配管４の減肉部が検出されるので、配管４からの油漏れが発生していない場合であっても、腐食による配管４の減肉部が発生した場合に、配管４の腐食を検出して、配管腐食情報をより確実に通報することができる。
【００１７】
また、配管腐食検出装置５は、配管４の減肉部を検出するとともに、配管４における減肉部の位置を検出するようになっており、通報装置６は、配管腐食検出装置５が配管４の減肉部を検出した場合に、配管腐食情報とともに、配管４における減肉部の位置を示す配管腐食位置情報を情報センタ２００に通報するので、作業者は配管４における交換が必要な部分を容易に判断することができる。
【００１８】
また、この油圧エレベータは、パワーユニット３を制御するエレベータ制御装置７を備え、エレベータ制御装置７は、配管腐食検出装置５が配管４の減肉部を検出する場合に、かご１の運転が停止するようにパワーユニット３を制御するので、配管４に減肉部が発生した場合に、かご１の運転を停止させることができる。
【００１９】
なお、上記実施の形態１では、配管４に設けられ、配管４にガイド波を送信し配管４からの反射波を受信することによって、腐食による配管４の減肉部を検出する配管腐食検出装置５を備えた油圧エレベータの構成について説明したが、配管４に設けられ、配管４にガイド波を送信し配管４からの反射波を受信することによって、詰りによる配管４の流路狭小部を検出する配管詰り検出装置をさらに備えた油圧エレベータの構成であってもよい。この場合、通報装置６は、配管詰り検出装置が配管４の流路狭小部を検出した場合に、配管４の詰りを示す配管詰り情報を情報センタ２００に通報する。また、この場合、配管詰り検出装置が、配管４の流路狭小部を検出するとともに、配管４における流路狭小部の位置を検出するようにし、通報装置６は、配管詰り検出装置が配管４の流路狭小部を検出した場合に、配管詰り情報とともに、配管４における流路狭小部の位置を示す配管詰り位置情報を情報センタ２００に通報する油圧エレベータの構成であってもよい。
【００２０】
また、上記実施の形態１では、予め設定された通報対象装置として、情報センタ２００を例に説明したが、その他の通報対象装置であってもよい。
【符号の説明】
【００２１】
１  かご、２  油圧ジャッキ、３  パワーユニット、４  配管、５  配管腐食検出装置、６  通報装置、７  エレベータ制御装置、５１  発信機、５２  受信機、５３  腐食検出制御装置、１００  昇降路、２００  情報センタ（通報対象装置）。
【図１】
2015151232.tif 000003
【図２】
2015151232.tif 000004
【図３】
2015151232.tif 000005